(57)【要約】【課題】波形屋根の頂部より突設したボルト体に対して一定の固定強度で、簡単かつ迅速に取り付けることができる屋根上取付具を提供する。【解決手段】取付具本体１０Ａは、上部に屋根上物品を嵌装する取付凹所１３、底部に波形屋根Ｙに載置される屋根載置部１２を備えた構造とされ、屋根載置部１２は、内周に拡開爪片２２を具設したボルト挿通孔２１よりなるボルト係止部２０を備え、該拡開爪片２２でボルト挿通孔２１より突出したボルト体Ｂに係止する構成となっている【選択図】図１
2012007295.tif 000002
【特許請求の範囲】
【請求項１】
波形屋根の頂部より突設したボルト体に固定される屋根上取付具において、
取付具本体は、上部に屋根上物品を嵌装する取付凹所、底部に上記波形屋根に載置される屋根載置部を備えた構造とされ、
上記屋根載置部は、内周に拡開爪片を具設したボルト挿通孔よりなるボルト係止部を備え、該拡開爪片で上記ボルト挿通孔より突出したボルト体に係止する構成となっていることを特徴とする屋根上取付具。
【請求項２】
請求項１において、
上記取付具本体が溝形体よりなる屋根上取付具。
【請求項３】
請求項１または２において、
上記ボルト係止部が上記取付具本体と一体に形成されている屋根上取付具。
【請求項４】
請求項１または２において、
上記ボルト係止部が上記取付具本体とは別体に形成されている屋根上取付具。
【発明の詳細な説明】
【技術分野】
【０００１】
本発明は、波形屋根の頂部より突設したボルト体に固定される屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類よりなる屋根上物品を配設することが実施されており、従来には、このような屋根上物品を屋根上に取り付けるための種々の屋根上取付具が提案されている。
【０００３】
特に、波形屋根の頂部で隣接する屋根材を重ねた重合部をボルト体とナットとの螺着によって固定した構造のものでは、その頂部において、屋根の下方より屋根を貫通して屋根上に突設させた屋根材連結のためのボルト体を、対向する挟着片で挟み込んで固定する構成とした屋根上取付具も提案されている（例えば、特許文献１参照）。
【０００４】
この屋根上取付具は、両脚片を備えて断面略門形に形成した本体部と、その両脚片の下端から対向するように延びた両挟着片とを備えており、両脚片を横方向に貫く緊締用ボルト、ナットで緊締して、ボルト体に両挟着片を挟着させて取り付ける構造となっている。このような取付構造によれば、両挟着片の先端部がボルト体のネジ部のネジ溝に食い込む構造であるため、屋根上取付具が外れる可能性は低い。
【先行技術文献】
【特許文献】
【０００５】
【特許文献１】特開２０１０−７７６９２号公報
【発明の概要】
【発明が解決しようとする課題】
【０００６】
しかしながら、上記従来の屋根上取付具では、両脚片を緊締用ボルトとナットにより緊締しなければならないから、屋根上での作業量が多くなり、熟練した者でなければ迅速に取り付けることができなかった。
【０００７】
さらに、緊締の加減によってはボルト体への固定が十分とはならず、屋根上物品の負荷によって、ずれたり外れたりするおそれもあった。また、緊締による固定であるため、屋根上取付具間で固定度合のばらつきが発生するおそれもあった。
【０００８】
特に、遮熱シートをレールを介して複数の屋根上取付具に固定して張り渡した場合、例えば遮熱シート上に積雪したときに雪の重みによって遮熱シートの両側に配された屋根上取付具が中央に引っ張られ、最も固定強度の低い屋根上取付具が傾斜しながらずり上がるおそれがあった。
【０００９】
本発明は、このような事情を考慮して提案されたもので、その目的は、波形屋根の頂部より突設したボルト体に対して一定の固定強度で、簡単かつ迅速に取り付けることができる屋根上取付具を提供することにある。
【課題を解決するための手段】
【００１０】
上記目的を達成するために、請求項１に記載の屋根上取付具は、波形屋根の頂部より突設したボルト体に固定される屋根上取付具において、取付具本体は、上部に屋根上物品を嵌装する取付凹所、底部に波形屋根に載置される屋根載置部を備えた構造とされ、屋根載置部は、内周に拡開爪片を具設したボルト挿通孔よりなるボルト係止部を備え、該拡開爪片でボルト挿通孔より突出したボルト体に係止する構成となっていることを特徴とする。
【００１１】
請求項２に記載の屋根上取付具は、取付具本体が溝形体よりなる。
【００１２】
請求項３に記載の屋根上取付具は、ボルト係止部が取付具本体と一体に形成されている。
【００１３】
請求項４に記載の屋根上取付具は、ボルト係止部が取付具本体とは別体に形成されている。
【発明の効果】
【００１４】
請求項１に記載の屋根上取付具によれば、取付具本体の屋根載置部が、内周に拡開爪片を具設したボルト挿通孔よりなるボルト係止部を備え、その拡開爪片で、ボルト挿通孔より突出したボルト体に係止する構成となっているので、波形屋根の頂部より突設したボルト体を係止させるだけで取付具本体を取り付けることができ、取付作業を簡単かつ迅速に行える。
【００１５】
また、拡開爪片は種々の径のボルト体に対応させることができるから、１種の屋根上取付具を径の異なる種々のボルト体に対応させて利用でき、ボルト体の形状、サイズに合わせて多くの種類の取付具本体を準備する必要がない。これによって、製品種を少なくでき、在庫管理を簡易化することもできる。さらに、ボルト体をボルト挿通孔に嵌挿させるだけの取付構造であるため、屋根上取付具間の固定強度をばらつきなく均一にすることができる。
【００１６】
さらに、請求項１に記載の屋根上取付具は屋根上物品を嵌装する取付凹所を備えているから、複数の屋根上取付具とともに屋根上物品を取り付けるためのレールを取り付けて遮熱シート等の屋根上物品を設置できるようになっているが、ボルト係止部によって屋根上取付具間での固定強度を均一にできるから、そのように複数の屋根上取付具と協働する場合でも、いずれかの屋根上取付具がボルト体からずれたり外れたりすることなく、全体的にバランスよく固定状態を維持することができる。
【００１７】
請求項２に記載の屋根上取付具によれば、取付具本体が溝形体よりなるので、屋根上取付具を少ない材料でコンパクトに構成でき、また溝形状により屋根載置部の上方には空間ができているので、取付状態を視認しやすく、点検がしやすい。特にボルト係止部を別体としたものでは、取付作業を楽に行える。
【００１８】
請求項３に記載の屋根上取付具によれば、ボルト係止部が取付具本体と一体に形成されているので、ボルト体をボルト挿通孔に挿通させるだけで取付具本体を取り付けることができる。また、屋根上取付具を構成する部品の点数を少なくでき、屋根上での作業をきわめて楽に行える。さらに、部品点数が少ないので現場での取り扱いがしやすく、また在庫管理を簡易化することもできる。
【００１９】
請求項４に記載の屋根上取付具によれば、ボルト係止部が取付具本体とは別体に形成されているので、取付具本体の屋根載置部には大きめのボルト挿通（遊挿）孔を開設しておけばよい。したがって、種々のボルト体に対して１種のボルト係止部（拡開爪片）では対応しきれず種々のボルト係止部を必要とする場合でも、屋根載置部のボルト挿通孔が同じサイズの同種の取付具本体（ボルト係止部を除く部分）を使用することができるので、利便性が高い。また、ボルト体の形状、サイズが現場でなければわからない場合でも、１種類の取付具本体と複数種のボルト係止部を現場に持ち込めばよいから、輸送に関しても負担にならない。
【図面の簡単な説明】
【００２０】
【図１】本発明に係る屋根上取付具の第１実施形態の一例を示す説明図であり、屋根上取付具の波形屋根への取り付け前の状態を示した分解斜視図である。
【図２】同屋根上取付具の波形屋根への取り付け後の状態を示した斜視図である。
【図３】（ａ）、（ｂ）は、同屋根上取付具の施工手順を示す部分断面正面図である。
【図４】同実施形態におけるボルト係止部の他２例を示す図であり、（ａ）は平面図、（ｂ）は斜視図で示している。
【図５】本発明に係る屋根上取付具の第２実施形態の一例を示す説明図であり、屋根上取付具の波形屋根への取り付け前の状態を示した分解斜視図である。
【図６】同屋根上取付具の波形屋根への取り付け後の状態を示した斜視図である。
【図７】（ａ）、（ｂ）は、同屋根上取付具の施工手順を示す部分断面正面図である。
【図８】同実施形態におけるボルト係止部の他２例を示す図であり、（ａ）は平面図、（ｂ）は斜視図で示している。
【図９】本発明の屋根上取付具の使用態様例を示す概略斜視図である。
【発明を実施するための形態】
【００２１】
以下に、本発明の種々の実施形態について、添付図面を参照しながら説明する。なお以下には、本発明の屋根上取付具の取付対象である波形屋根として、角波形屋根つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００２２】
図１は、本発明に係る屋根上取付具の第１実施形態の一例を示す説明図であり、屋根上取付具の波形屋根への取り付け前の状態を示した分解斜視図である。図２は同屋根上取付具の波形屋根への取り付け後の状態を示した斜視図である。図３（ａ）、（ｂ）は、同屋根上取付具の施工手順を示す部分断面正面図である。
【００２３】
本例に使用される折板屋根Ｙは、山部Ｙ１と谷部Ｙ２とが交互に連続する屋根であって、複数の折板屋根材を側端縁の山部Ｙ１の頂部Ｙ１ａで重合し、その重合された頂部Ｙ１ａで、連結用のボルト体ＢとナットＣとの螺着によって連結した重ね式構造となっている。
【００２４】
ボルト体Ｂは、例えば図例のように、正面視で折板屋根Ｙと略同形状をなす支持金具Ｙ３に一体化され、その剣先状の先端を上方に突出させている。折板屋根Ｙをボルト体Ｂの上方から押し込むことで、ボルト体Ｂの剣先で頂部Ｙ１ａを貫通させて、折板屋根Ｙを取り付けるようにしている。
【００２５】
また、折板屋根Ｙの頂部Ｙ１ａを貫通したボルト体Ｂは、山座金Ｄを一体化したナットＣを螺着して固定される。ボルト体Ｂが貫通した折板屋根Ｙの孔（不図示）からの水の浸入を防止するために、山座金Ｄの下方には防水パッキンＥが取り付けられている。
【００２６】
屋根上取付具１０は、このように折板屋根Ｙの頂部Ｙ１ａを貫通し、ナットＣ止めされたボルト体Ｂに対して取り付けられる。
【００２７】
この屋根上取付具１０（取付具本体１０Ａ）は、底部に屋根載置部１２を有し、その屋根載置部１２の両端部より上方に折曲延出した一対の起立片１１を備えて全体として溝形体となっており、それらの起立片１１のそれぞれの上端部には、同形状に切り欠かれた取付凹所１３が形成されている。
【００２８】
この取付凹所１３には、図９の実施態様例に示すように、複数の屋根上取付具１０を並べて取り付けた場合に、屋根上物品を取り付けるための長尺状のレールＲを固定することができ、好ましくはレールＲが外れないように、取付凹所１３の上端開口は凹所底部よりも小さい寸法としている。レールＲ外れ防止のための抜け防止片１４を形成しておくことが望ましい。
【００２９】
なお、取付凹所１３はこのようなものに限られず、筒体の上板の中央を凹ますか、くり抜いて形成したものでもよい。
【００３０】
また、屋根載置部１２の中央部には、取付具本体１０Ａを折板屋根Ｙの頂部Ｙ１ａに設置したときにナットＣや山座金Ｄと抵触しないような上げ底部１２ａが形成されており、その上げ底部１２ａの中央には、内周に拡開爪片２２を具設したボルト挿通孔２１よりなる、ボルト体Ｂに係止するためのボルト係止部２０が形成されている。
【００３１】
本例では、図１に示すように、ボルト係止部２０の拡開爪片２２は４片形成され、それらはボルト挿通孔２１の中央に向けてやや上向きに突出しており、それら拡開爪片２２の先端に囲まれた小孔２１ａが形成されている。
【００３２】
取付具本体１０Ａを、図３（ａ）、（ｂ）に示すように、折板屋根Ｙより突出したボルト体Ｂを上記小孔２１ａに挿入させるように上方より嵌め込んでいくと、拡開爪片２２はボルト体Ｂの軸部Ｂ１の外周面に当たることで弾性的に上方に変形するとともに小孔２１ａが拡開し、その状態で取付具本体１０Ａはボルト体Ｂの軸部Ｂ１を擦り下がっていき、屋根載置部１２の下面が折板屋根Ｙの頂部Ｙ１ａの上面に到達する。そうして、拡開爪片２２と、ボルト体Ｂの軸部Ｂ１のネジ溝とが係止し合った状態で、取付具本体１０Ａが折板屋根Ｙに固定される。このように、ボルト係止部２０の拡開爪片２２がボルト体Ｂの軸部Ｂ１のネジ溝に食い込んでいるので、取付具本体１０Ａがボルト体Ｂより外れることはない。
【００３３】
こうして、折板屋根Ｙに取り付けた屋根上取付具１０の上には、レール、遮熱シート等の屋根上物品（不図示）を取り付けることができる。
【００３４】
このように、取付具本体１０Ａは、内周に拡開爪片２２を具設したボルト挿通孔２１よりなるボルト係止部２０を備え、拡開爪片２２でボルト挿通孔２１より突出したボルト体Ｂに係止する取付構造となっているので、折板屋根Ｙの頂部Ｙ１ａより突設したボルト体Ｂをボルト挿通孔２１に嵌挿させるだけで屋根上取付具１０を取り付けることができ、取付作業を簡単かつ迅速に行うことができる。
【００３５】
また、ボルト係止部２０の拡開爪片２２によれば種々の径のボルト体Ｂに対応させることができるから、１種の屋根上取付具１０を径の異なる種々のボルト体Ｂに対応させて利用でき、ボルト体Ｂの形状、サイズに合わせて多くの種類の取付具本体を準備する必要がない。つまり、少ない種類の屋根上取付具１０で多くの現場に対応することができる。また、ボルト体Ｂをボルト挿通孔２１に嵌挿させるだけの取付構造であるため、屋根上取付具１０間の固定強度をばらつきなく均一にすることができる。
【００３６】
また、本例の屋根上取付具１０は、ボルト係止部２０が取付具本体１０Ａと一体に形成されているので、屋根上取付具１０の部品点数を少なくでき、屋根上での作業をきわめて楽に行える。また、部品点数が少ないので在庫管理を簡易化できる。
【００３７】
さらに、本実施形態の屋根上取付具１０は取付凹所１３を備えているから、複数の屋根上取付具１０とともにレールＲ（図９参照）を取り付けて遮熱シート等の屋根上物品を設置できるようになっているが、ボルト係止部２０によって屋根上取付具１０間で固定強度を均一にできるから、そのように複数の屋根上取付具１０と協働する場合でも、いずれかの屋根上取付具１０がボルト体Ｂからずれたり外れたりすることなく、全体的にバランスよく固定状態を維持することができる。
【００３８】
また、本実施形態の屋根上取付具１０は溝形体となっているため、取付状態を視認しやすく点検がしやすく、作業効率を向上できる。
【００３９】
ついで、本実施形態におけるボルト係止部の他２例について図４を参照して説明する。図４（ａ）はボルト係止部の他例の平面図、図４（ｂ）はさらに他の例の斜視図を示している。
【００４０】
図４（ａ）のボルト係止部２０は、ボルト挿通孔２１の内周に３片の拡開爪片２２が具備されている。このように、拡開爪片２２が３片であっても、ボルト体Ｂの軸部Ｂ１を挟むように係止して固定される構造であるため係止が外れることはない。また、２片の拡開爪片２２を対向するように設けてもよい。
【００４１】
また図４（ｂ）のボルト係止部２０は、長方形状のボルト挿通孔２１の対向する２短辺に相互に向かい合うように、やや上向きの２片の拡開爪片２２が形成されている。このボルト係止部２０によっても、拡開爪片２２でボルト体Ｂに強力に係止できるので、図１に示した屋根上取付具１０と同様の効果が奏せられる。
【００４２】
つぎに、本発明の第２実施形態について説明する。なお、第２実施形態においても折板屋根Ｙおよびボルト体Ｂ、ナットＣ等については第１実施形態と同一のものを使用しているため、同一の符号を付してその説明は省略する。
【００４３】
図５は、本発明に係る屋根上取付具の第２実施形態の一例を示す説明図であり、屋根上取付具の波形屋根への取り付け前の状態を示した分解斜視図である。図６は同屋根上取付具の波形屋根への取り付け後の状態を示した斜視図である。図７（ａ）、（ｂ）は、同屋根上取付具の施工手順を示す部分断面正面図である。
【００４４】
本実施形態で示す屋根上取付具１０は、別体のボルト係止部（以下、ボルト係止体２０Ａという）を有している。
【００４５】
取付具本体１０Ａは、底部に屋根載置部１２を有し、その屋根載置部１２の両端部より上方に折曲延出した一対の起立片１１を備えて全体として溝形体となっており、それらの起立片１１のそれぞれの上端部には、同形状に切り欠かれた取付凹所１３が形成されている。
【００４６】
この取付凹所１３には、図１の屋根上取付具１０と同様に、複数の屋根上取付具１０を並べて取り付けた場合に長尺状のレールＲ（図９参照）等を固定することができ、レールＲ等が外れないようにした抜け防止片１４を備えている。
【００４７】
屋根載置部１２の中央部には、取付具本体１０Ａを折板屋根Ｙの頂部Ｙ１ａに設置したときにナットＣおよび山座金Ｄと抵触しないような上げ底部１２ａが形成されており、その上げ底部１２ａの中央には、ボルト体Ｂを遊挿するボルト遊挿孔１２ａａが形成されている。なお、すきまなく嵌挿できるボルト挿通孔でもよいが、作業性をよくするためにボルト遊挿孔１２ａａとするほうが望ましい。
【００４８】
また、ボルト係止体２０Ａは、金属または硬質樹脂で製された円盤体よりなり、その中央には内周に拡開爪片２２を具設したボルト挿通孔２１が形成されている。
【００４９】
本例では、図５に示すように、ボルト係止体２０Ａの拡開爪片２２は４片形成され、それらはボルト挿通孔２１の中央に向けてやや上向きに突出しており、それら拡開爪片２２の先端に囲まれた小孔２１ａが形成されている。
【００５０】
取付具本体１０Ａを、図７（ａ）、（ｂ）に示すように、折板屋根Ｙより突出したボルト体Ｂを屋根載置部１２のボルト遊挿孔１２ａａに挿入させて、折板屋根Ｙの頂部Ｙ１ａに載置した後、屋根載置部１２の上面より上方に突出したボルト体Ｂにボルト係止体２０Ａを上方より嵌め込んでいくと、拡開爪片２２はボルト体Ｂの軸部Ｂ１の外周面に当たることで弾性的に上方に変形するとともに小孔２１ａが拡開し、その状態で取付具本体１０Ａはボルト体Ｂの軸部Ｂ１を擦り下がりながら、屋根載置部１２の内底面に到達する。そうして、拡開爪片２２とボルト体Ｂの軸部Ｂ１のネジ溝とが係止した状態で、取付具本体１０Ａが折板屋根Ｙに固定される。拡開爪片２２は斜め上向き状態でボルト体Ｂの軸部Ｂ１のネジ溝に食い込んでいるので、取付具本体１０Ａがボルト体Ｂより外れることはない。
【００５１】
こうして、折板屋根Ｙに取り付けた屋根上取付具１０の上には、レール、遮熱シート等の屋根上物品（不図示）を取り付けることができる。
【００５２】
このように、屋根上取付具１０は、内周に拡開爪片２２を具設したボルト挿通孔２１よりなるボルト係止体２０Ａを備え、拡開爪片２２でボルト遊挿孔１２ａａ、ボルト挿通孔２１より突出したボルト体Ｂに係止する構成となっているので、折板屋根Ｙの頂部Ｙ１ａより突設したボルト体Ｂにボルト挿通孔２１嵌挿させるだけで屋根上取付具１０を取り付けることができ、取付作業を簡単かつ迅速に行える。また、種々の現場のどのようなボルト体Ｂに対しても、取付具本体１０Ａを確実かつ強固に取り付けることができ、また屋根上取付具１０間の固定度合をばらつきなく均一にできる。
【００５３】
また、本例の屋根上取付具１０は、ボルト係止体２０Ａが取付具本体１０Ａと別体に形成されているので、取付具本体１０Ａの屋根載置部１２には大きめのボルト遊挿孔１２ａａを開設しておけばよい。さらに、ボルト体Ｂの形状、サイズに合わせて複数種の取付具本体１０Ａを保管する必要がない。よって在庫管理を簡易化できる。また、ボルト体Ｂの形状、サイズが現場でなければわからない場合でも、１種類の取付具本体１０Ａと複数種のボルト係止体２０Ａを現場に持ち込めばよいから、輸送も負担にならない。
【００５４】
さらに、複数の屋根上取付具１０の協働により取付凹所１３にレールＲ（図９参照）等の屋根上物品を取り付ける場合にも、第１の実施形態と同様に、全体的にバランスよく固定状態を維持することができる。また、屋根上取付具１０は溝形体となっているから、取付状態を視認しやすく点検がしやすく、さらにボルト係止体２０Ａの取付作業もしやすい。
【００５５】
ついで、本実施形態におけるボルト係止体の他２例について図８を参照して説明する。図８（ａ）はボルト係止体の他例の平面図、図８（ｂ）はさらに他の例の斜視図を示している。
【００５６】
図８（ａ）のボルト係止体２０Ａは、ボルト挿通孔２１の内周に３片の拡開爪片２２が具備されている。このように、拡開爪片２２が３片であっても、ボルト体Ｂの軸部Ｂ１を挟むように係止して固定される構造であるため係止が外れることはない。また、２片の拡開爪片２２を対向するように設けてもよい。
【００５７】
また図８（ｂ）のボルト係止体２０Ａは、長方形状のボルト挿通孔２１の対向する２短辺に相互に向かい合うように、やや上向きの２片の拡開爪片２２が形成されている。このボルト係止体２０Ａによっても、拡開爪片２２でボルト体Ｂに強力に係止できるので、図１に示した屋根上取付具１０と同様の効果が奏せられる。
【符号の説明】
【００５８】
１０      屋根上取付具
１０Ａ      取付具本体
１１      起立片
１２      屋根載置部
１２ａ      上げ底部
１２ａａ      ボルト遊挿孔
１３      取付凹所
１４      抜け防止片
２０      ボルト係止部
２０Ａ      ボルト係止体（ボルト係止部）
２１      ボルト挿通孔
２１ａ      小孔
２２      拡開爪片
Ｂ      ボルト体
Ｂ１      軸部
Ｃ      ナット
Ｄ      山座金
Ｙ      折板屋根（波形屋根）
Ｙ１      山部
Ｙ１ａ      頂部
Ｙ２      谷部
Ｙ３      支持金具
【図１】
2012007295.tif 000003
【図２】
2012007295.tif 000004
【図３】
2012007295.tif 000005
【図４】
2012007295.tif 000006
【図５】
2012007295.tif 000007
【図６】
2012007295.tif 000008
【図７】
2012007295.tif 000009
【図８】
2012007295.tif 000010
【図９】
2012007295.tif 000011